(57)【要約】【課題】  建物の壁際構造を、所望の見栄えやシール性能にする上での成形作業が容易にできるようにする。【解決手段】  屋根本体４の表面に葺かれる地瓦９と、屋根本体４に隣接して設けられる壁３と、これら屋根本体４と壁３とによる隅部に設けられ、上下に重ね合わされる上、下厚のし瓦１０，１１とを備える。隅部に沿って延び、その幅方向の一端縁部が壁３に連結される一方、他端縁部が地瓦９の表面に接合され、その上面に下厚のし瓦１１を載置させる壁際押え具１３と、下厚のし瓦１１よりも壁３側に位置して壁際押え具１３に支持され、下厚のし瓦１１における壁３側の端部を嵌入させて係止させると共に、その上面に上厚のし瓦１０を載置させて係止させる下水切り材２１と、隅部に沿って延び、その幅方向の一端縁部が壁３に連結される一方、他端縁部が上厚のし瓦１０の表面に接合される上水切り材２５とを備える。【選択図】  図１
2006307510.tif 000002
【特許請求の範囲】
【請求項１】
屋根本体の表面に葺かれる地瓦と、上記屋根本体に隣接して設けられる壁と、これら屋根本体と壁とによる隅部に設けられ、上下に重ね合わされる上、下厚のし瓦とを備える建物の壁際構造において、
上記隅部に沿って延び、その幅方向の一端縁部が上記壁に連結される一方、他端縁部が上記地瓦の表面に接合され、その上面に上記下厚のし瓦を載置させる壁際押え具と、上記下厚のし瓦よりも上記壁側に位置して上記壁際押え具に支持され、上記下厚のし瓦における上記壁側の端部を嵌入させて係止させると共に、その上面に上記上厚のし瓦を載置させて係止させる下水切り材と、上記隅部に沿って延び、その幅方向の一端縁部が上記壁に連結される一方、他端縁部が上記上厚のし瓦の表面に接合される上水切り材とを備えたことを特徴とする建物の壁際構造。
【請求項２】
上記下水切り材を板金製として、上記壁の外方に向かって開く断面コの字形状とし、その上、下開口縁に上下折り返し片を形成し、これら上下折り返し片のうち、下折り返し片により上記下厚のし瓦の裏面の突起を係止させる一方、上折り返し片により上記下厚のし瓦の表面を押圧させるようにしたことを特徴とする請求項１に記載の建物の壁際構造。
【請求項３】
棟屋根本体の左右表面にそれぞれ葺かれる左右地瓦と、これら左右地瓦上にそれぞれ設けられ、上下に重ね合わされる上、下厚のし瓦とを備える建物の棟屋根構造において、
上記左右地瓦に跨ってこれら左右地瓦の表面にそれぞれ接合され、その上面に上記左右下厚のし瓦を載置させる棟押え具と、上記左右下厚のし瓦の間に位置して上記棟押え具上に支持され、上記左右下厚のし瓦における上記棟屋根本体の棟中心側の端部を嵌入させて係止させると共に、その上面に上記左右上厚のし瓦を載置させて係止させる左右下水切り材と、上記左右上厚のし瓦に跨ってこれら左右上厚のし瓦の表面にそれぞれ接合され、その上面に他の左右上厚のし瓦を載置させて係止させる上水切り材と、上記他の左右上厚のし瓦に跨って、これら他の上厚のし瓦の表面に接合し、かつ、上記棟屋根本体に固定される押え具とを備えた建物の棟屋根構造。
【請求項４】
上記下水切り材を板金製として、上記棟中心の外方に向かって開く断面コの字形状とし、その上、下開口縁に上下折り返し片を形成し、これら上下折り返し片のうち、下折り返し片により上記下厚のし瓦の裏面の突起を係止させる一方、上折り返し片により、上記下厚のし瓦の表面を押圧させるようにしたことを特徴とする請求項３に記載の建物の棟屋根構造。
【発明の詳細な説明】
【技術分野】
【０００１】
本発明は、上下に重ね合わされる上、下厚のし瓦を備える建物の壁際構造、および建物の棟屋根構造に関するものである。
【背景技術】
【０００２】
従来、上記建物の壁際構造においては、壁際の屋根本体上にしっくいが載置され、このしっくい上に上、下厚のし瓦が上下に重ね合わされて設置されている。
【０００３】
また、従来、建物の棟屋根構造においては、棟屋根本体上にしっくいが載置され、このしっくい上に上、下厚のし瓦が上下に重ね合わされて設置されている。
【０００４】
上記各構造の成形作業に際し、上記しっくいは定型性を有しないものであるため、作業者は現場にて上記しっくいを所望形状に造形し、これに上、下厚のし瓦を設置させることが行なわれる。そして、この作業により、上記各構造につき、所望の外観上の見栄えが得られると共に、上記しっくいのシール性能により、建物内への雨水の浸入が防止されるようになっている。
【発明の開示】
【発明が解決しようとする課題】
【０００５】
ところで、上記各構造の成形作業において、しっくいを所望形状に造形するという作業には、かなりの熟練が要求されるのであり、このため、上記成形作業は煩雑となっている。
【０００６】
また、しっくいは重量物であるため、屋根の重量が過大になるおそれがある。また、震災時には、上記しっくいには亀裂や剥離などの損傷が生じ易く、つまり、従来の屋根には耐震性上の問題点もある。
【課題を解決するための手段】
【０００７】
本発明は、上記のような事情に注目してなされたもので、本発明の目的は、建物の壁際構造や建物の棟屋根構造の各構造を、所望の見栄えやシール性能にする上での成形作業が容易にできるようにすることである。
【０００８】
また、本発明の他の目的は、屋根の重量を軽くし、かつ、屋根の耐震性を向上させるようにすることである。
【０００９】
請求項１の発明は、図１，２に例示するように、屋根本体４の表面に葺かれる地瓦９と、上記屋根本体４に隣接して設けられる壁３と、これら屋根本体４と壁３とによる隅部に設けられ、上下に重ね合わされる上、下厚のし瓦１０，１１とを備える建物の壁際構造において、
上記隅部に沿って延び、その幅方向の一端縁部が上記壁３に連結される一方、他端縁部が上記地瓦９の表面に接合され、その上面に上記下厚のし瓦１１を載置させる壁際押え具１３と、上記下厚のし瓦１１よりも上記壁３側に位置して上記壁際押え具１３に支持され、上記下厚のし瓦１１における上記壁３側の端部を嵌入させて係止させると共に、その上面に上記上厚のし瓦１０を載置させて係止させる下水切り材２１と、上記隅部に沿って延び、その幅方向の一端縁部が上記壁３に連結される一方、他端縁部が上記上厚のし瓦１０の表面に接合される上水切り材２５とを備えものである。
【００１０】
請求項２の発明は、図１，２に例示するように、請求項１の発明に加えて、上記下水切り材２１を板金製として、上記壁３の外方に向かって開く断面コの字形状とし、その上、下開口縁に上下折り返し片２２，２３を形成し、これら上下折り返し片２２，２３のうち、下折り返し片２３により上記下厚のし瓦１１の裏面の突起１１ａを係止させる一方、上折り返し片２２により上記下厚のし瓦１１の表面を押圧させるようにしたものである。
【００１１】
請求項３の発明は、図３，４に例示するように、棟屋根本体３３の左右表面にそれぞれ葺かれる左右地瓦９，９と、これら左右地瓦９，９上にそれぞれ設けられ、上下に重ね合わされる上、下厚のし瓦１０，１０′，１１とを備える建物の棟屋根構造において、
上記左右地瓦９，９に跨ってこれら左右地瓦９，９の表面にそれぞれ接合され、その上面に上記左右下厚のし瓦１１，１１を載置させる棟押え具３６と、上記左右下厚のし瓦１１，１１の間に位置して上記棟押え具３６上に支持され、上記左右下厚のし瓦１１，１１における上記棟屋根本体３３の棟中心４０側の端部を嵌入させて係止させると共に、その上面に上記左右上厚のし瓦１０，１０を載置させて係止させる左右下水切り材２１，２１と、上記左右上厚のし瓦１０，１０に跨ってこれら左右上厚のし瓦１０，１０の表面にそれぞれ接合され、その上面に他の左右上厚のし瓦１０′，１０′を載置させて係止させる上水切り材４１と、上記他の左右上厚のし瓦１０′，１０′に跨って、これら他の上厚のし瓦１０′の表面に接合し、かつ、上記棟屋根本体３３に固定される押え具４２とを備えたものである。
【００１２】
請求項４の発明は、図３，４に例示するように、請求項３の発明に加えて、上記下水切り材２１を板金製として、上記棟中心４０の外方に向かって開く断面コの字形状とし、その上、下開口縁に上下折り返し片２２，２３を形成し、これら上下折り返し片２２，２３のうち、下折り返し片２３により上記下厚のし瓦１１の裏面の突起１１ａを係止させる一方、上折り返し片２２により、上記下厚のし瓦１１の表面を押圧させるようにしたものである。
【００１３】
なお、この項において、上記各用語に付記した符号は、本発明の技術的範囲を後述の「実施例」の項や図面の内容に限定解釈するものではない。
【発明の効果】
【００１４】
本発明による効果は、次の如くである。
【００１５】
請求項１の発明は、屋根本体の表面に葺かれる地瓦と、上記屋根本体に隣接して設けられる壁と、これら屋根本体と壁とによる隅部に設けられ、上下に重ね合わされる上、下厚のし瓦とを備える建物の壁際構造において、
上記隅部に沿って延び、その幅方向の一端縁部が上記壁に連結される一方、他端縁部が上記地瓦の表面に接合され、その上面に上記下厚のし瓦を載置させる壁際押え具と、上記下厚のし瓦よりも上記壁側に位置して上記壁際押え具に支持され、上記下厚のし瓦における上記壁側の端部を嵌入させて係止させると共に、その上面に上記上厚のし瓦を載置させて係止させる下水切り材と、上記隅部に沿って延び、その幅方向の一端縁部が上記壁に連結される一方、他端縁部が上記上厚のし瓦の表面に接合される上水切り材とを備えている。
【００１６】
このため、建物の壁際構造は、上、下厚のし瓦に加え、壁際押え具、下水切り材、および上水切り材で構成されており、これらはいずれも工場製作されるなどして定型性を有し、現場で組み付け可能とされるものである。
【００１７】
よって、上記壁際構造を所望の見栄えやシール性能にする上での成形作業に熟練は不要であることから、この成形作業は容易にできる。また、上記壁際押え具、下水切り材、および上水切り材の主体は、板金製とすることができるため、従来、しっくいを用いていたことに比べて、屋根の重量を軽くでき、かつ、屋根の耐震性を向上させることができる。
【００１８】
請求項２の発明は、上記下水切り材を板金製として、上記壁の外方に向かって開く断面コの字形状とし、その上、下開口縁に上下折り返し片を形成し、これら上下折り返し片のうち、下折り返し片により上記下厚のし瓦の裏面の突起を係止させる一方、上折り返し片により上記下厚のし瓦の表面を押圧させるようにしている。
【００１９】
このため、上記下水切り材への下厚のし瓦の組み付けはワンタッチでできると共に、組み付け後のこれら両者の間にがたつきの生じることが防止される。よって、上記成形作業が更に容易となる。
【００２０】
請求項３の発明は、棟屋根本体の左右表面にそれぞれ葺かれる左右地瓦と、これら左右地瓦上にそれぞれ設けられ、上下に重ね合わされる上、下厚のし瓦とを備える建物の棟屋根構造において、
上記左右地瓦に跨ってこれら左右地瓦の表面にそれぞれ接合され、その上面に上記左右下厚のし瓦を載置させる棟押え具と、上記左右下厚のし瓦の間に位置して上記棟押え具上に支持され、上記左右下厚のし瓦における上記棟屋根本体の棟中心側の端部を嵌入させて係止させると共に、その上面に上記左右上厚のし瓦を載置させて係止させる左右下水切り材と、上記左右上厚のし瓦に跨ってこれら左右上厚のし瓦の表面にそれぞれ接合され、その上面に他の左右上厚のし瓦を載置させて係止させる上水切り材と、上記他の左右上厚のし瓦に跨って、これら他の上厚のし瓦の表面に接合し、かつ、上記棟屋根本体に固定される押え具とを備えている。
【００２１】
このため、建物の棟屋根構造は、上、下厚のし瓦に加え、棟押え具、下水切り材、上水切り材、および押え具で構成されており、これらはいずれも工場製作されるなどして定型性を有し、現場で組み付け可能とされるものである。
【００２２】
よって、上記棟屋根構造を所望の見栄えやシール性能にする上での成形作業に熟練は不要であることから、この成形作業が容易にできる。また、上記棟押え具、下水切り材、および上水切り材の主体は、板金製とすることができるため、従来、しっくいを用いていたことに比べて、屋根の重量を軽くでき、かつ、屋根の耐震性を向上させることができる。
【００２３】
請求項４の発明は、上記下水切り材を板金製として、上記棟中心の外方に向かって開く断面コの字形状とし、その上、下開口縁に上下折り返し片を形成し、これら上下折り返し片のうち、下折り返し片により上記下厚のし瓦の裏面の突起を係止させる一方、上折り返し片により、上記下厚のし瓦の表面を押圧させるようにしている。
【００２４】
このため、上記下水切り材への下厚のし瓦の組み付けはワンタッチでできると共に、組み付け後のこれら両者の間にがたつきの生じることが防止される。よって、上記成形作業が更に容易となる。
【発明を実施するための最良の形態】
【００２５】
本発明の建物の壁際構造に関し、建物の壁際構造を、所望の見栄えやシール性能にする上での成形作業が容易にできるようにする、という目的を実現するため、本発明を実施するための最良の形態は、次の如くである。
【００２６】
即ち、建物の壁際構造は、屋根本体の表面に葺かれる地瓦と、上記屋根本体に隣接して設けられる壁と、これら屋根本体と壁とによる隅部に設けられ、上下に重ね合わされる上、下厚のし瓦とを備えている。また、上記壁際構造は、上記隅部に沿って延び、その幅方向の一端縁部が上記壁に連結される一方、他端縁部が上記地瓦の表面に接合され、その上面に上記下厚のし瓦を載置させる壁際押え具と、上記下厚のし瓦よりも上記壁側に位置して上記壁際押え具に支持され、上記下厚のし瓦における上記壁側の端部を嵌入させて係止させると共に、その上面に上記上厚のし瓦を載置させて係止させる下水切り材と、上記隅部に沿って延び、その幅方向の一端縁部が上記壁に連結される一方、他端縁部が上記上厚のし瓦の表面に接合される上水切り材とを備えている。
【実施例１】
【００２７】
本発明をより詳細に説明するために、その実施例１を添付の図１，２に従って説明する。
【００２８】
図１，２において、符号１は建物で、この建物１は屋根２と、この屋根２に隣接する壁３とを備えている。
【００２９】
上記屋根２の基部を構成する屋根本体４は、野地板５と、この野地板５上に取り付けられる桟木６とを備えている。上記屋根本体４の表面には多数の地瓦９が葺かれている。上記屋根本体４と壁３とによる隅部には、上下に重ね合わされる上、下厚のし瓦１０，１１が設けられている。これら各上、下厚のし瓦１０，１１の裏面には、屋根２の傾斜方向における上方端部にそれぞれ突起１０ａ，１１ａが一体的に形成されている。
【００３０】
上記隅部の長手方向に沿って延び、その上面に上記下厚のし瓦１１を載置させる壁際押え具１３が設けられている。この壁際押え具１３の幅方向の一端縁部は釘１５により上記壁３に連結され、一方、他端縁部は上記地瓦９の表面に圧接状に接合されている。
【００３１】
上記壁際押え具１３の一端縁部側は上記長手方向で所定間隔を置いて複数設けられる板金製の金具１６で構成されている。また、上記壁際押え具１３の他端縁部側は上記長手方向に延びる可撓性で板状のシール材１７で構成されている。上記金具１６には、上記壁際押え具１３の幅方向で一対の係止突起１８，１９が一体的に形成され、これら両係止突起１８，１９のうち、一方の係止突起１８に上記シール材１７が連結されている。
【００３２】
上記長手方向に沿って延び、上記壁際押え具１３上の下厚のし瓦１１よりも壁３側に位置して上記壁際押え具１３上に支持される板金製の下水切り材２１が設けられている。この下水切り材２１は、上記壁３の外側方に向かって開く断面コの字形状とされ、その上、下開口縁には、上記下水切り材２１の内部に向かって突出する上下折り返し片２２，２３が形成されている。上記壁際押え具１３の金具１６における両係止突起１８，１９のうち、他方の係止突起１９に上記下折り返し片２３が係止されて、上記壁際押え具１３上に上記下水切り材２１が支持されている。
【００３３】
上記下厚のし瓦１１における上記壁３側の端部が上記下水切り材２１に嵌入されて係止されている。具体的には、上記下折り返し片２３により上記係止突起１９を介し間接的に上記下厚のし瓦１１の突起１１ａが係止され、一方、上記上折り返し片２２により上記下厚のし瓦１１の表面が弾性的に押圧されている。また、上記下水切り材２１の上面側の角部に上記上厚のし瓦１０の突起１０ａが係止されている。
【００３４】
上記長手方向に延びる板金製の上水切り材２５が設けられている。この上水切り材２５の幅方向の一端縁部は釘２６により上記壁３に連結され、一方、他端縁部は上記上厚のし瓦１０の表面に笠木２７を介し押圧状に接合されている。その他、２９はコーキング、３０は外装材である。
【００３５】
上記構成によれば、建物１の壁際構造は、上、下厚のし瓦１０，１１に加え、壁際押え具１３、下水切り材２１、および上水切り材２５で構成されており、これらはいずれも工場製作されるなどして定型性を有し、現場で組み付け可能とされるものである。
【００３６】
よって、上記壁際構造を所望の見栄えやシール性能にする上での成形作業に熟練は不要であることから、この成形作業は容易にできる。また、上記壁際押え具１３、下水切り材２１、および上水切り材２５の主体は、板金製であるため、従来、しっくいを用いていたことに比べて、屋根２の重量を軽くでき、かつ、屋根２の耐震性を向上させることができる。
【００３７】
また、前記したように、上記下水切り材２１を板金製として、上記壁３の外側方に向かって開く断面コの字形状とし、その上、下開口縁に上下折り返し片２２，２３を形成し、これら上下折り返し片２２，２３のうち、下折り返し片２３により上記下厚のし瓦１１の裏面の突起１１ａを係止させる一方、上折り返し片２２により上記下厚のし瓦１１の表面を押圧させるようにしている。
【００３８】
このため、上記下水切り材２１への下厚のし瓦１１の組み付けはワンタッチでできると共に、組み付け後のこれら両者１１，２１の間にがたつきの生じることが防止される。よって、上記成形作業が更に容易となる。
【００３９】
以下の図２，３は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００４０】
本発明をより詳細に説明するために、その実施例２を添付の図３，４に従って説明する。
【００４１】
図３，４において、上記屋根２は陸棟屋根であり、この屋根２の基部を構成する棟屋根本体３３の左右表面にはそれぞれ地瓦９，９が葺かれている。これら左右地瓦９，９上には、それぞれ上下に重ね合わされる上、下厚のし瓦１０，１１が設けられている。
【００４２】
上記棟屋根本体３３の頂部３５の長手方向に沿って延び、その上面に上記左右下厚のし瓦１１，１１を載置させる棟押え具３６と、上記頂部３５から上方に突設される棟金具３７と、この棟金具３７に支持されて上記棟押え具３６を支持する棟下地材３８とが設けられている。上記棟押え具３６は、上記左右地瓦９，９に跨ってその幅方向の各端縁部が上記左右地瓦９，９の表面に圧接状に接合されている。
【００４３】
上記棟押え具３６の幅方向の中途部は、上記長手方向で所定間隔を置いて複数設けられ、それぞれ上記棟下地材３８に支持される金具１６で構成されている。また、上記棟押え具３６の上記各端縁部側は、上記金具１６に連結される上記シール材１７で構成されている。
【００４４】
上記左右下厚のし瓦１１，１１の間で、上記棟押え具３６上に左右一対の下水切り材２１，２１が支持されている。これら各下水切り材２１には、上記下厚のし瓦１１における上記棟屋根本体３３の棟中心４０側の端部が嵌入されて係止される。
【００４５】
上記左右上厚のし瓦１０，１０に跨ってこれら左右上厚のし瓦１０，１０の表面に接合され、その上面に他の左右上厚のし瓦１０′，１０′を載置させて係止させる上水切り材４１が設けられている。図例では、上記他の左右上厚のし瓦１０′，１０′と上水切り材４１とは、それぞれ上下に複数積み上げられている。また、上記他の左右上厚のし瓦１０′，１０′に跨って、これら他の上厚のし瓦１０′，１０′の表面に接合し、かつ、上記棟屋根本体３３に固定される押え具４２と、この押え具４２をその上方から覆って上記他の左右上厚のし瓦１０′，１０′に架設される棟瓦４３とが設けられている。
【００４６】
上記棟屋根本体３３に対する押え具４２の固定につき、具体的に説明すると、この押え具４２は、上記棟下地材３８に締結具４４により固定されている。つまり、上記押え具４２は、上記棟金具３７、棟下地材３８、および締結具４４により上記棟屋根本体３３に固定されている。また、上記棟瓦４３は、上記押え具４２に締結具４５により固定されている。
【００４７】
上記構成によれば、建物１の棟屋根構造は、上、下厚のし瓦１０，１０′，１１に加え、棟押え具３６、下水切り材２１、上水切り材４１、および押え具４２で構成されており、これらはいずれも工場製作されるなどして定型性を有し、現場で組み付け可能とされるものである。
【００４８】
よって、上記棟屋根構造を所望の見栄えやシール性能にする上での成形作業に熟練は不要であることから、この成形作業が容易にできる。また、上記棟押え具３６、下水切り材２１、および上水切り材４１の主体は、板金製であるため、従来、しっくいを用いていたことに比べて、屋根２の重量を軽くでき、かつ、屋根２の耐震性を向上させることができる。
【００４９】
また、上記下水切り材２１を板金製として、上記棟中心４０の外側方に向かって開く断面コの字形状とし、その上、下開口縁に上下折り返し片２２，２３を形成し、これら上下折り返し片２２，２３のうち、下折り返し片２３により上記下厚のし瓦１１の裏面の突起１１ａを係止させる一方、上折り返し片２２により、上記下厚のし瓦１１の表面を押圧させるようにしている。
【００５０】
このため、上記下水切り材２１への下厚のし瓦１１の組み付けはワンタッチでできると共に、組み付け後のこれら両者１１，２１の間にがたつきの生じることが防止される。よって、上記成形作業が更に容易となる。
【００５１】
なお、以上は図示の例によるが、上記上厚のし瓦１０′と上水切り材４１の段数を少なくして、これらを隅棟屋根に適用してもよい。
【図面の簡単な説明】
【００５２】
【図１】実施例１を示し、壁際構造の縦断面図である。
【図２】実施例１を示し、図１の部分拡大図である。
【図３】実施例２を示し、棟屋根構造の縦断面図である。
【図４】実施例２を示し、図３の部分拡大図である。
【符号の説明】
【００５３】
１    建物
２    屋根
３    壁
４    屋根本体
９    地瓦
１０  上厚のし瓦
１０′  上厚のし瓦
１０ａ  突起
１１  下厚のし瓦
１１ａ  突起
１３  壁際押え具
２１  下水切り材
２２  上折り返し片
２３  下折り返し片
２５  上水切り材
３３  棟屋根本体
３６  棟押え具
４０  棟中心
４１  上水切り材
４２  押え具
【図１】
2006307510.tif 000003
【図２】
2006307510.tif 000004
【図３】
2006307510.tif 000005
【図４】
2006307510.tif 000006
【手続補正書】
【提出日】平成17年5月13日(2005.5.13)
【手続補正１】
【補正対象書類名】図面
【補正対象項目名】全図
【補正方法】変更
【補正の内容】
【図１】
2006307510.tif 000007
【図２】
2006307510.tif 000008
【図３】
2006307510.tif 000009
【図４】
2006307510.tif 000010